(57)【特許請求の範囲】
【請求項１】
観察対象部位を観察するために体腔内へ挿入する挿入部の先端部に、広角観察が可能な対物光学系と、拡大観察が可能な対物光学系とを備えた内視鏡において、
広角観察が可能な対物光学系の観察視野内に拡大観察が可能な対物光学系の視野位置を示す指標を設け、前記指標が前記拡大観察が可能な対物光学系の全視野領域を示す枠表示であることを特徴とする内視鏡。
【発明の詳細な説明】
【０００１】
【発明の属する技術分野】
本発明は、被検体に挿入して内部を観察する内視鏡に関する。
【０００２】
【従来の技術】
近年、体腔内に細長な挿入部を挿入することにより、体腔内の臓器を観察したり、必要に応じ、処置具チャンネル内に挿入した処置具を用いて、各種治療処置のできる光学式ファイバー内視鏡が広く用いられている。
【０００３】
また、ボイラー、ガスタービンエンジン、科学プラント等の配管、自動車エンジン等の内部の傷、腐食等の観察や検査等に工業用内視鏡が広く用いられている。
【０００４】
さらに、電荷結合素子（ＣＣＤ）等の固体撮像素子を撮像手段に用いた電子内視鏡も各分野において広く用いられている。
【０００５】
この様な内視鏡は通常、対物光学系が１つに固定されており、内視鏡の挿入・観察・抜去の一連の操作に対応できる画角に予め設定されている。
【０００６】
一方、ある観察対象部位を高倍率で観察・診断する用途に対しては、高倍率（拡大）の対物光学系のみを備えた内視鏡では、視野が極めて狭く被写界深度が浅いため、使用中にどの部位を観察しているのかが、分からなくなるので、例えば実開平１−１７２０１５号公報に開示されているように、広角・拡大の２つの対物光学系を備え、広範囲の観察像と、要部の拡大画像を同時に観察できるようにしたものや、特開平１−１０５２１３号公報に開示されているように、広角・拡大の２つの対物光学系を択一的に選択し、必要に応じて拡大倍率を選択するようにして、観察対象部位到達までのオリエンテーションを容易につけられるようにしたものが知られている。
【０００７】
【発明が解決しようとする課題】
しかし、例えば、体腔内の管腔臓器粘膜表面の拡大画像から粘膜の凹凸、毛細血管の走行等を観察して粘膜表面の病巣の診断を行う場合、観察対象部位を非常に高倍率に拡大する必要がある。
【０００８】
従って、この様な場合は、観察部位到達までは前述のようにオリエンテーションの付けやすい広角画像を観察しながら内視鏡操作を行い、挿入部先端が観察部位に到達した後、拡大画像を観察して診断を行うことになる。
【０００９】
このとき、拡大観察しようとしている患部の状態が、広角画像、拡大画像ともに明らかに目視で識別可能で、両像の対応関係が明確な場合は問題ないが、観察対象部位と周囲の正常組織とを識別することが難しい場合は、微細な粘膜表面の違いを確認し、病巣範囲の見極めを行う必要がある。
【００１０】
しかし、前述した先行技術では、拡大観察部位が広角観察像のどの位置にあるのかを容易に把握することが出来ず、患部を特定することが難しい場合がある。
【００１１】
従って、本発明は、上記事情に鑑み、広角画像を観察しながら内視鏡操作を行う際にも、広角画像と拡大画像との両観察像の位置関係を容易に認識することが可能で、病巣診断をより確実に行うことのできる内視鏡を提供することを目的としている。
【００１２】
【課題を解決するための手段】
上記目的を達成するため、本発明の一態様による内視鏡は、観察対象部位を観察するために体腔内へ挿入する挿入部の先端部に、広角観察が可能な対物光学系と、拡大観察が可能な対物光学系とを備えた内視鏡において、
広角観察が可能な対物光学系の観察視野内に拡大観察が可能な対物光学系の視野位置を示す指標を設け、前記指標が前記拡大観察が可能な対物光学系の全視野領域を示す枠表示である。
【００１３】
この様な構成では、広角画像を観察しながら内視鏡操作を行う際に、内視鏡の観察視野内に拡大側の視野位置を示す指標が表示されるので、広角画像を観察している際にも、拡大観察部位がどの位置にあるのかを容易に把握することが出来る。
【００１４】
【発明実施の形態】
以下、図面に基づいて本発明による一実施の形態を説明する。
（第１実施の形態）
図１〜図３は本発明の第１実施の形態に係り、図１は内視鏡の全体構成を示す説明図、図２は広角側イメージガイド端部に配置されるカバーガラスの説明図、図３はモニタに表示された内視鏡像を示す説明図である。
【００１５】
図１に示すように、内視鏡１は、細長で可撓性を有する挿入部２を備え、この挿入部２の後端に、使用者が把持する操作部３が連接されている。操作部３には、前記挿入部２の先端部近傍に設けた湾曲部を湾曲操作する図示しない操作レバーが設けられている。
【００１６】
また、前記操作部３からは、側方に可撓性を有するライトガイドケーブル４が延設され、このライトガイドケーブル４の端部にコネクタ（図示せず）が設けられている。また、前記操作部３の後端部には広角、拡大の内視鏡像を拡大する２つの接眼部５Ｗ，５Ｍが設けられている。
【００１７】
前記挿入部２の先端部９には所定の視野角を有する広角、拡大の２種類の対物レンズ群８Ｗ，８Ｍが設けられている。例えば広角側の対物レンズ群８Ｗは、視野角が１２０°に設定され、又、拡大側の対物レンズ群８Ｍは、視野角が３０°に設定されている。
【００１８】
各対物レンズ群８Ｗ，８Ｍの結像位置には、ファイババンドルよりなるイメージガイド６Ｗ，６Ｍの先端面が配置されている。このイメージガイド６Ｗ，６Ｍは挿入部２内に挿通されて、各後端部はそれぞれ接眼部５Ｗ，５Ｍに導かれている。このイメージガイド６Ｗ，６Ｍの各後端面にはカバーガラス７Ｗ，７Ｍが配置されている。
【００１９】
図２に示すように、広角側のイメージガイド６Ｗの端面に配置されているカバーガラス７Ｗには、レチクル１０が蒸着されており、イメージガイド６Ｗのファイバーの積み方向とレチクル１０とが一義的に位置決めされた状態で固定されている。
【００２０】
このレチクル１０は、広角側の画像での拡大側の観察像の位置を示す指標をなすもので、交点が拡大側の観察像の中心と合致するように設定されている。
【００２１】
さらに、前記カバーガラス７Ｗ，７Ｍの各後端部には、前記接眼部５Ｗ，５Ｍ内に設けられた接眼レンズ１１Ｗ，１１Ｍが対設されている。
【００２２】
前記挿入部２およびライトガイドケーブル４内にはライトガイド１２が挿通され、このライトガイド１２の先端側が、挿入部２の先端部９に固定され、またこのライトガイド１２の後端側は前記ライトガイドケーブル４の端部に設けられたコネクタに接続され、このコネクタが光源装置（図示せず）に接続される。
【００２３】
ライトガイド１２の先端には、光源装置からの照明光がライトガイド１２を介して導光されており、この先端からの照明光が、図示しない照明レンズを通して患部に照射される。
【００２４】
前記接眼部５Ｗ，５Ｍには、外付けテレビカメラ１３がそれぞれ着脱自在に装着できるようになっている。この各外付けテレビカメラ１３は、接眼部からの光を結像する結像レンズ１４と、この結像レンズ１４の結像位置に配置されたＣＣＤ１５とを備えている。
【００２５】
一方両テレビカメラ１３のＣＣＤ１５は、このＣＣＤ１５で撮像した画像信号を処理するカメラコントロールユニット（ＣＣＵ）１６に接続され、このＣＣＵ１６に観察画像を表示するモニタ１７が接続される。
【００２６】
なお、２つの外付けテレビカメラ１３は一体化されていても良い。また、モニタ１７には１つの画面に、各テレビカメラ１３で撮像した、２つの画像を並べるか、または、各テレビカメラ１３に対応して、２つのモニタを配設し、この各モニタに２つの画像を別々に出力するようにしても良い。
【００２７】
（作用）
次に、上記構成による本実施の形態の作用について説明する。
内視鏡１の挿入部２を患者の観察対象臓器（気管支、胃等）に挿入する際、光源装置からの照明光がライトガイド１２により導光され、挿入部２の先端部９に設けられている照明窓から管腔内部を照明する。
【００２８】
照明光により照らし出される観察部位の画像は、広角・拡大各々の対物レンズ８Ｗ，８Ｍによりイメージガイド６Ｗ，６Ｍの端面に結像される。イメージガイド６Ｗ，６Ｍにより伝送された観察像は接眼レンズ１１Ｗ，１１Ｍにより拡大され、さらにこの画像はテレビカメラ１３、ＣＣＵ１６を介して、モニタ１７に映し出される。
【００２９】
このとき、図３に示すように、広角側の画像（図面左側）にはカバーガラス７Ｗ上に蒸着されているレチクル１０が映し出される。広角側のイメージガイド６Ｗにより伝送された観察像は、被観察部が広範囲にわたって見渡せるので、観察対象部位まで内視鏡先端を誘導させるのに有効である。
【００３０】
そして、観察対象部位に挿入部２の先端部９が到達した後、図３に示すように、広角側の観察像（図面左側）に見えるレチクル１０の中心を患部に合わせる。このとき、拡大側のイメージガイド６Ｍにより映し出される拡大画像（図面右側）は広角画像のレチクル中心位置となる。
【００３１】
その結果、患部周辺を含む全体像を巨視的に観察しながら、術者が拡大観察を必要とする部位を、直ちにしかも正確に選択し、観察することができる。
【００３２】
そして、患部の拡大画像を観察して診断を行うと共に、広角画像と対応させながら患部の全容を把握する。
【００３３】
このように、本実施の形態によれば、患部までの内視鏡の誘導操作は広角画面を観察しながら行い、対象部位の拡大は別の光学系により行うようにしたので、内視鏡診断の効率が飛躍的に向上する。
【００３４】
さらに、拡大画像の正確な位置を、広角画像で確認しながら観察することができるので、粘膜表面の限定した部位の診断のみでなく、病巣全体の診断を的確に行うことができ、使い勝手がよい。
【００３５】
（第２実施の形態）
図４、図５は本発明の第２実施の形態に係り、図４は広角側イメージガイド端部に配置されるカバーガラスの説明図、図５はモニタに表示された内視鏡像を示す説明図である。
【００３６】
第１実施の形態では、カバーガラス７Ｗ上に、レチクル１０を蒸着したが、本実施の形態では、拡大視野領域を示す指標として枠１９をカバーガラス１８Ｗ上に蒸着したものである。
【００３７】
すなわち、図４に示すように、広角側のイメージガイド６Ｗの端面に配置されるカバーガラス１８Ｗの面上に、蒸着されている枠１９は、拡大側の観察視野範囲を示す大きさに設定されており、拡大画像との位置関係が対応するように、前記イメージガイド６Ｗの端面に前記カバーガラス１８Ｗが一義的に位置決めされた状態で固定されている。
なお、その他の構成は、第１実施の形態と同じであるため、ここでの説明は省略する。
【００３８】
（作用）
この様な構成では、図５に示すように、モニタ１７に映し出された、拡大側のイメージガイド６Ｍからの拡大画像（図面右側）の視野領域画像が、広角側の画像（図面左側）に表示される枠１９に囲まれた部位に対応しており、術者は、第１実施の形態と同様に、患部の拡大画像を観察して診断を行うと共に、広角画像と対応させながら患部の全容の把握を行う。
【００３９】
その結果、本実施の形態によれば、広角側の画像を観察しながら拡大視野領域を把握することができるので、ある程度広範囲に広がった患部を拡大観察していく場合、観察領域が識別し易くなる。
【００４０】
また、広角画面上で拡大視野領域が分かるので、拡大倍率を感覚的に把握することができ、診断効率が、より一層向上する。
【００４１】
（第３実施の形態）
図６は本発明の第３実施の形態による内視鏡像を示す説明図である。
本実施の形態では、内視鏡の挿入部内に、図示しないレーザ光線発信機からレーザ光を導光する導光ファイバーを設けたものである。
【００４２】
この導光ファイバーの光射出端部は、挿入部先端に固定され、ここから射出されるレーザ光線は拡大視野の中心位置にスポット照射されるように位置決めされている。
【００４３】
従って、本実施の形態では、レーザ光２０のスポット照射により拡大観察部位が示されるため、広角側のカバーガラス面上に、レチクル、枠等による指標を設ける必要はない。
【００４４】
（作用）
この様な構成では、第１実施の形態と同様に、広角・拡大の両画面を観察しながら診断を行うが、本実施の形態においては通常、広角画面上に拡大視野位置を示す指標が無いため、指標により観察視野が妨げられることがない。
【００４５】
そして、必要に応じてレーザ光２０をスポット照射して、広角画面上での拡大観察部位の確認を行う。
【００４６】
このように、本実施の形態では、レーザ光線により拡大観察部位を示すようにしたので、必要に応じて拡大視野位置を表示・不表示することができ、表示が観察の妨げになる場合は、非表示とすることで、クリアーな内視鏡像を得ることができ、診断効率がより一層向上する。
【００４７】
（第４実施の形態）
図７は本発明の第４実施の形態による内視鏡の全体構成を示す説明図である。本実施の形態では、挿入部２１の先端部２２にＣＣＤ２３Ｗ，２３Ｍを内蔵した、いわゆる電子内視鏡を示す。
【００４８】
同図に示すように、内視鏡挿入部２１の先端部２２には所定の視野角を有する２種類の対物レンズ群２４Ｗ，２４Ｍが配設されている。例えば広角側の対物レンズ群２４Ｗは、１２０°の視野角を有し、又拡大側の対物レンズ群２４Ｍは４０°の視野角を有している。
【００４９】
各対物レンズ群２４Ｗ，２４Ｍの結像位置には、その受光面にカバーガラス２５Ｗ，２５Ｍを配置し固定する前記ＣＣＤ２３Ｗ，２３Ｍが配置されている。なお、カバーガラス２５Ｗの面上には、第１実施の形態と同様のレチクル１０が蒸着されており、このレチクル１０が蒸着されている面をＣＣＤ２３Ｗの受光部に対設する。
【００５０】
さらに、広角側のカバーガラス２５Ｗは、レチクル１０の中心が、拡大側の観察像の中心と合致するよう設定された状態で、ＣＣＤ２３Ｗに固定されている。
【００５１】
また、挿入部２１内にはライトガイド２７が挿通されており、第１実施の形態と同様、光源装置からの照明光を挿入部２１の先端部２２まで導光し、患部を照明する。
【００５２】
前記ＣＣＤ２３Ｗ，２３Ｍは、この各ＣＣＤ２３Ｗ，２３Ｍで撮像した画像信号を処理するＣＣＵ２８に接続され、さらに、このＣＣＵ２８が、観察画像を表示するモニタ１７に接続されている。
【００５３】
前記モニタ１７では、各ＣＣＤ２３Ｗ，２３Ｍによる観察画像を２つ並べて表示するように設定されており、必要に応じてその観察画像の大きさを変えて表示させることが可能である。
【００５４】
なお、図７に示すモニタ１７には、拡大画像を拡大して画面左側に表示し、広角画像を縮小して画面右端に表示しているが、画面の大きさの関係を入れ替えることも可能である。
【００５５】
このとき、広角画像内には第１実施の形態と同様に、レチクル１０が表示され、その中心位置（交点）が、拡大画像の視野中心を示すように設定されている。
【００５６】
（作用）
この様な構成では、モニタ１７に表示される広角画像に、カバーガラス２５Ｗに蒸着したレチクル１０が表示される。同時に、モニタ１７には、この広角画像に表示されているレチクル１０の中心位置（交点）を視野中心とする拡大画像が表示される。
【００５７】
観察対象部位まで内視鏡挿入部２１を誘導するときは、広角画面をモニタ１７に拡大表示して操作を行い、患部を診断する場合は拡大画像を拡大して観察する。
【００５８】
このように、本実施の形態では、モニタ１７に表示される２画面を、必要に応じて選択的に拡大することができるため、操作性及び診断効率が向上する。
【００５９】
（第５実施の形態）
図８、図９は本発明の第５実施の形態に係り、図８は広角側ＣＣＤに配置されるカバーガラスの説明図、図９は内視鏡像を示す説明図である。本実施の形態は、第４実施の形態に示す電子内視鏡を改良したものである。
【００６０】
図８に示すように、広角側のＣＣＤ２３Ｗの受光面に配置されるカバーガラス３０面上に、４カ所に凸部３１ａを有するマスク３１が蒸着されており、このマスク３１が蒸着されている面にＣＣＤ２３Ｗの受光面が対向するようカバーガラス３０を配置する。
【００６１】
なお、前記マスク３１に設けた凸部３１ａは、広角画像を観察した時に見えるマスク３１上に、各々対辺に向かい合う凸部３１ａ同士をつないだ交点に、拡大画像の中心位置がくるよう設定されている。なお、図９に記載されている互いに対向する凸部３１ａ間を結ぶ線は、仮想線であり、画像上には表示されない。
【００６２】
（作用）
この様な構成では、広角側の画像には、図９に示すようなカバーガラス３０に蒸着した４つの凸部３１ａを含むマスク３１が表示される。
【００６３】
この広角画面を拡大すると、前記４つの凸部３１ａの仮想交点を中心とする拡大画像がモニタ上に表示される。
【００６４】
このように、本実施の形態では、広角画面にレチクル、枠等の指標が表示されないので、観察視野の妨げに成らず、クリアな内視鏡像を得ることができる。
【００６５】
（第６実施の形態）
図１０、図１１は本発明の第６実施の形態に係り、図１０（ａ）は視野表示補正アダプタを内視鏡挿入部の先端部に装着したときの正面図、同図（ｂ）は同図（ａ）の右側面断面図、図１１は内視鏡像を示す説明図である。
【００６６】
本実施の形態では、被検体から内視鏡挿入部３３に設けられている対物レンズまでの距離が変化すると広角画像に表示される拡大画像の中心位置と、実際に表示される拡大画像の中心とがずれるため、それを補正する調整機構を設けたものである。
【００６７】
すなわち、内視鏡挿入部３３の先端部３４に装着する視野表示補正アダプタ３２に表示板３８を配設し、この表示板３８にレチクル１０を蒸着する。なお、指標はレチクル１０に限らず、拡大視野範囲を示す枠であっても良い。
【００６８】
又、本実施の形態に示す内視鏡３３は、第１実施の形態で示した光学式ファイバー内視鏡、あるいは第４実施の形態で示した電子内視鏡の何れでも良く、この場合、光学式ファイバー内視鏡に設けられているイメージガイド端に配置されるカバーガラス、電子内視鏡に設けれているＣＣＤに対向するカバーガラス上にレチクルを蒸着する必要はない。
【００６９】
図１０に示すように、視野表示補正アダプタ３２は、筒状に形成されたアダプタ本体３５の一端に内視鏡挿入部３３の先端部３４を装着する開口部３６が形成され、この開口部３６の奥に、先端部３４を嵌入させたとき当接する位置決め段差部３６ａが形成されている。
【００７０】
アダプタ本体３５の他端には、円筒部材の厚み方向に挟まれるようにして円盤状の表示板３８が配設されている。この表示板３８はガラス等の透明部材を素材に形成されており、この表示板３８の中央にレチクル１０が蒸着されている。
【００７１】
また、この表示板３８の周囲の十字状に交差する４カ所が、アダプタ本体３５に外周方向から螺入された調整ビス３９により保持されている。
【００７２】
表示板３８はアダプタ本体３５の中心軸に対し直交する方向へスライド自在に係合されており、前記各調整ビス３９を、適宜進退動作させることで、前記レチクル１０の位置をアダプタ本体３５の中心軸に対して調整し、固定することができる。
【００７３】
また、視野表示補正アダプタ３２を内視鏡挿入部３３の先端部３４に装着固定したときの、この先端部３４の先端面から表示板３８までの距離Ｘは、患部を拡大観察する際の、被検体までの距離を想定したものである。
【００７４】
さらに、図１１に示すように、モニタ１７に表示されている広角画像（図面左側）には、モニタ１７に設けられている調整つまみ（図示せず）により、上下方向へ調節可能な平行ライン４０と、左右方向へ調節可能な垂直ライン４１とが表示されている。
【００７５】
（作用）
この様な構成では、内視鏡を用いた検査を行う前に、その観察条件に最も近い距離間隔Ｘの視野表示補正アダプタ３２を、挿入部３３の先端部３４に装着する。
【００７６】
次いで、モニタ１７に表示されている拡大画像（図面右側）を観察しながら、この拡大画像の中央にレチクル１０が位置するように調整ビス３９を操作して表示板３８を、アダプタ本体３５の中心軸に直交する方向へ移動させる。
【００７７】
そして、レチクル１０がモニタ１７の拡大画像の中央に所定にセットされた後、モニタ１７に設けられている調整つまみ（図示せず）を操作して、モニタ１７に映し出されている広角画像（図面左側）に表示されている平行ライン４０と垂直ライン４１とを移動させ、この両ライン４０，４１を、広角画像に表示されているレチクル１０に一致させる。
【００７８】
この調整が所定に終了した後、視野表示補正アダプタ３２を内視鏡挿入部３３の先端部３４から取り外す。
【００７９】
その結果、被検体から対物レンズまでの距離が変化した場合であっても、モニタ１７の右側に表示されている拡大画像の中心と、モニタ１７の左側の広角画像に表示されているライン４０，４１の交点とが一致される。
【００８０】
このように、本実施の形態によれば、用途及び観察部位に応じて近接或いは遠景観察する場合に、広角画像上の拡大画像位置表示を、その都度適正な位置に補正することができるので、両画像の位置関係を正確に把握することができる。
【００８１】
又、対物光学系の異なる（焦点距離の異なる）別の内視鏡を用いる場合、各々の内視鏡にあった拡大画像位置表示の調整ができる。
【００８２】
（第７実施の形態）
図１２、図１３は本発明の第７実施の形態に係り、図１２は内視鏡先端部の構成を示す説明図、図１３は内視鏡像を示す説明図である。
【００８３】
図１２に示すように、本実施の形態に示す内視鏡は、その挿入部４２の軸方向（挿入する際の直進方向）と、挿入部４２の先端部４３に配設された対物レンズ群４４Ｗ，４４Ｍの視野方向とが平行でない、いわゆる斜視型内視鏡である。
【００８４】
この種の斜視型内視鏡は、比較的細い管腔臓器の壁面を観察するのに適しているが、この観察像は、挿入部４２の進行軸方向と異なる視野方向にあるため、挿入或いは抜去時に方向を見失う可能性がある。
【００８５】
そのため、本実施の形態では、観察視野内に直進方向を示す指標を設け、挿入、或いは抜去方向を認識できるようにしたものである。
【００８６】
この斜視型内視鏡の対物レンズ群４４Ｗは、例えば視野角が１２０°の広角に設定されており、対物レンズ群４４Ｍは、例えば視野角が４０°の拡大に設定されている。
【００８７】
この各対物レンズ群４４Ｗ，４４Ｍの後端には、第４実施の形態と同様のＣＣＤ４５Ｗ，４５Ｍが配置されている。広角側のＣＣＤ４５Ｗの前面には、第５実施の形態と同様に、４カ所の凸部３１ａを有するマスク３１が蒸着されたカバーガラス４６Ｗが配置される。
【００８８】
前記凸部３１ａは、対向する凸部３１ａを結んだ交点が、挿入部４２の中心軸方向を示すように配設されている。さらに、このカバーガラス４６Ｗには対物レンズ４４Ｍによる拡大視野位置を示すレチクル１０も蒸着されている。
【００８９】
即ち、図１３に示すように、内視鏡で撮像した広角画像には、拡大視野位置を示すレチクル１０と、挿入部の直進方向を示す凸部３１ａとの２つの指標が表示される。
【００９０】
なお、図１３に記載されている互いに対向する凸部３１ａ間を結ぶ線は、仮想線であり、画像上には表示されない。
【００９１】
（作用）
この様な構成では、内視鏡挿入部４２を患者に挿入し、或いは抜去する際には、広角画像を観察しながら操作するが、このとき、広角画像上に表示されている凸部３１ａの対向する凸部３１ａ同士を結んだ交点を指標として、挿入部４２の進行方向を認識する。
【００９２】
その結果、視野方向が挿入部４２の進行方向と異なる斜視型内視鏡であっても、挿入或いは抜去時に方向を見失うことがなく、挿入或いは抜去を、短時間で確実に行うことができる。
【００９３】
さらに、挿入部４２の先端部４３に、複数のＣＣＤ等を内蔵する場合であっても、各ＣＣＤを挿入部の径方向ではなく、軸方向にずらして配置することができるので、結果として挿入部外径を細くすることが可能となり、挿入性がさらに向上する。
【００９４】
（第８実施の形態）
図１４、図１５は本発明の第８実施の形態に係り、図１４は図１２のXIV矢視に相当する内視鏡先端部の正面図、図１５は内視鏡像を示す説明図である。なお、本実施の形態に示す内視鏡は、第７実施の形態に示す斜視型内視鏡と、ほぼ同じ構造である。
【００９５】
第７実施の形態と異なる構成部分は、広角画像内のマスク３１に凸部３１ａが設けられておらず、その代わり、導光ファイバー５０が内視鏡挿入部４２内に設けられている点である。
【００９６】
この導光ファイバー５０は挿入部４２の先端から挿入部４２の軸方向に向けてレーザ光を出射するように配置されている。
【００９７】
（作用）
この様な構成では、術者がモニタ１７に映し出された広角画像を観察しながら内視鏡操作を行う際に、必要に応じてレーザ光５１をスポット照射し、挿入部４２の進行方向を確認する。
【００９８】
なお、本実施の形態では、広角視野内に拡大視野位置をレチクル１０で表示し、挿入部４２の進行方向をレーザ光５１で示すように構成したが、レチクル１０が観察の妨げになる場合は、第７実施の形態で説明したように、マスク３１に凸部３１ａを設け、互いに対向する凸部３１ａを結ぶ仮想交点により、拡大視野中心位置を確認できるようにしても良い。
【００９９】
［付記］以上、説明したように本発明によれば、以下のごとき構成を得ることができる。◎。
【０１００】
［付記項１］
被検体に挿入可能な挿入部先端に、対物光学系を備えた内視鏡において、観察視野内に特定の視野方向を示す指標を設けたことを特徴とする内視鏡。
【０１０１】
［付記項２］
被検体に挿入可能な挿入部先端に、画角の相違する複数の対物光学系を備えた内視鏡において、広角側の観察視野内に、拡大側の観察視野方向を示す指標を設けたことを特徴とする内視鏡。
【０１０２】
［付記項３］
前記指標が、観察視野内に表示されるレチクルである付記項２記載の内視鏡。
【０１０３】
［付記項４］
前記指標が、レーザ光線によるスポット照射である付記項２記載の内視鏡。
【０１０４】
［付記項５］
前記指標が、前記拡大側の全視野領域を示す枠表示である付記項２記載の内視鏡。
【０１０５】
［付記項６］
前記指標が、観察視野枠を構成するマスクの周囲に設けられた凸部である付記項２記載の内視鏡。
【０１０６】
［付記項７］
被検体に挿入可能な挿入部を備えた内視鏡において、前記挿入部の中心軸に対し非垂直面上に対物光学系を配置するとともに、前記対物光学系による観察視野内に、前記挿入部の中心軸方向を示す指標を設けたことを特徴とする内視鏡。
【０１０７】
この様な構成では、いわゆる斜視型内視鏡については、広角視野内に内視鏡挿入部の直進方向を示す指標を設け、内視鏡の挿入或いは抜去時に方向を見失うことが無くなり、操作性が格段に向上する。
【０１０８】
これに対して、従来は、内視鏡に設けられている対物光学系の観察視野方向が挿入部の軸方向に対し非垂直な、いわゆる斜視型の光学系を有する内視鏡の場合は、更に挿入部の直進方向と観察視野方向とが異なるために、内視鏡像の中心位置と挿入部の直進方向とが一致せず、挿入部の進めるべき方向が判別し難いという問題があった。
【０１０９】
［付記項８］
前記指標が、レーザ光線によるスポット照射である付記項７記載の内視鏡。
【０１１０】
［付記項９］
前記指標が、観察視野枠を構成するマスクの周囲に設けられた凸部である付記項７記載の内視鏡。
【０１１１】
【発明の効果】
以上説明したように、本発明によれば、広角画像を観察しながら内視鏡操作を行っている際に、内視鏡の観察視野内に拡大側の視野位置を示す指標が表示されるので、広角画像を観察しながら内視鏡操作を行っている際にも、広角画像と拡大画像との両観察像の位置関係を容易に認識することが可能となり、病巣診断をより確実に行うことができる。
【図面の簡単な説明】
【図１】第１実施の形態による内視鏡の全体構成を示す説明図
【図２】同、広角側イメージガイド端部に配置されるカバーガラスの説明図
【図３】同、モニタに表示された内視鏡像を示す説明図
【図４】第２実施の形態による広角側イメージガイド端部に配置されるカバーガラスの説明図
【図５】同、モニタに表示された内視鏡像を示す説明図
【図６】第３実施の形態による内視鏡像を示す説明図
【図７】第４実施の形態による内視鏡の全体構成を示す説明図
【図８】第５実施の形態による広角側ＣＣＤに配置されるカバーガラスの説明図
【図９】同、内視鏡像を示す説明図
【図１０】第６実施の形態による視野表示補正アダプタを内視鏡挿入部の先端部に装着したときの説明図
【図１１】同、内視鏡像を示す説明図
【図１２】第７実施の形態による内視鏡先端部の構成を示す説明図
【図１３】同、内視鏡像を示す説明図
【図１４】本発明の第８実施の形態による図１２のXIV矢視に相当する内視鏡先端部の正面図
【図１５】同、内視鏡像を示す説明図
【符号の説明】
１  内視鏡
２，３３，２１，４２  挿入部
８Ｗ，８Ｍ，２４Ｗ，２４Ｍ，４４Ｗ，４４Ｍ  対物レンズ群（対物光学系）
９，２２，３４，４３  先端部
１０  レチクル（指標）
１９  枠（指標）
３１ａ  凸部（指標）
【図１】
0004493141.tif 000002
【図２】
0004493141.tif 000003
【図３】
0004493141.tif 000004
【図４】
0004493141.tif 000005
【図５】
0004493141.tif 000006
【図６】
0004493141.tif 000007
【図７】
0004493141.tif 000008
【図８】
0004493141.tif 000009
【図９】
0004493141.tif 000010
【図１０】
0004493141.tif 000011
【図１１】
0004493141.tif 000012
【図１２】
0004493141.tif 000013
【図１３】
0004493141.tif 000014
【図１４】
0004493141.tif 000015
【図１５】
0004493141.tif 000016